(57)【要約】【課題】  インピーダンスの調整が容易で、２枚の基板をそれらの間隔が一定になるように固定する必要がなく、構造が簡素で、しかも、クロストークが減少する基板間接続用コネクタを提供する。【解決手段】  上下両部プラグコネクタ２，３の各プラグ側グラウンドプレート８，８をそれぞれ上下の各基板９，９に半田付けすることによって、上下両部プラグコネクタはそれぞれ上下の各基板に実装される。レセプタクルコネクタ１を上下両部プラグコネクタの一方に嵌合させ、続いて、他方をレセプタクルコネクタに嵌合させる。このとき、上下両部プラグコネクタの各プラグ側インシュレータ７，７に設けられている突出部７ｃ，７ｃはレセプタクルコネクタの長孔４ｂに挿入され、各プラグ側グラウンドプレートは両レセプタクル側グラウンドプレート６，６の間に挿入されて圧接する。各シグナルコンタクト５の上下両側の各湾曲部５ｂ，５ｂが各基板の各パッドに弾力的に接触するので、両基板は接続する。【選択図】  図５
2005228482.tif 000002
【特許請求の範囲】
【請求項１】
基板と他の基板とを接続する基板間接続用コネクタにおいて、
前記両基板には、それぞれ同一のプラグコネクタが実装され、
レセプタクルコネクタは、前記両プラグコネクタに対して対称な構造を有し、
前記レセプタクルコネクタが前記両プラグコネクタの間に介在することによって、前記両基板は接続することを特徴とする基板間接続用コネクタ。
【請求項２】
基板と他の基板とを接続する基板間接続用コネクタにおいて、
プラグコネクタ又はレセプタクルコネクタは、２組のコンタクト列を対称に有し、
前記プラグコネクタ及び前記レセプタクルコネクタは、前記両コンタクト列の中央部にそれぞれグラウンド部材を有し、
前記プラグコネクタと前記レセプタクルコネクタとが嵌合することによって、前記両コンタクト列は前記両基板を接続し、前記両グラウンド部材は接続することを特徴とする基板間接続用コネクタ。
【請求項３】
前記レセプタクルコネクタは、２組のコンタクト列を対称に有し、
前記両プラグコネクタ及び前記レセプタクルコネクタは、前記両コンタクト列の中央部にそれぞれグラウンド部材を有し、
前記両プラグコネクタと前記レセプタクルコネクタとが嵌合することによって、前記両コンタクト列は前記両基板を接続し、前記各グラウンド部材は接続することを特徴とする請求項１記載の基板間接続用コネクタ。
【発明の詳細な説明】
【技術分野】
【０００１】
本発明は、基板と他の基板とを接続する基板間接続用コネクタに関し、詳しく述べると、構造の簡素化とクロストークの減少に関する。
【背景技術】
【０００２】
２つの従来の基板間接続用コネクタについて説明する。
【０００３】
まず、第１の基板間接続用コネクタについて図１０を参照して説明する。
【０００４】
レセプタクルコネクタ３１は、断面略コ字状のインシュレータ３２と、インシュレータ３２に左右対称に保持される２組のシグナルコンタクト３３の列とから構成される。各シグナルコンタクト３３は、略Ｌ字状に形成され、接触部３３ａと、インシュレータ３２への固定部３３ｂと、上部の基板３９に半田付けされる端子部３３ｃとから構成される。
【０００５】
プラグコネクタ３６は、断面略Ｔ字状の突出部を有するインシュレータ３７と、インシュレータ３７に左右対称に保持される２組のシグナルコンタクト３８の列とから構成される。各シグナルコンタクト３８は、略へ字状の接触部３７ａと、インシュレータ３７への平坦な固定部３７ｂと、下部の基板３９に半田付けされる端子部３７ｃとから構成される。
【０００６】
図１０は、レセプタクルコネクタ３１とプラグコネクタ３６とが嵌合して、シグナルコンタクト３３の接触部３３ａとシグナルコンタクト３７の接触部３７ａとが接触している状態を示す。
【０００７】
次に、第２の基板間接続用コネクタについて図１１を参照して説明する。
【０００８】
コネクタ４１は、インシュレータ４２と、インシュレータ４２に左右対称に保持される２組のシグナルコンタクト４３の列とから構成される。各シグナルコンタクト４３は、上部の基板４９と接触するＵ字状の接触部４３ａと、インシュレータ４２に固定される二重のヘアーピン状の固定部４３ｂと、下部の基板４９に半田付けされる端子部４３ｃとから構成される。
【０００９】
図１１は、コネクタ４１が上下両部の基板４９，４９を接続している状態を示す。
【００１０】
従来のこの種の基板間接続用コネクタは、提案されていくつかの刊行物に記載されている（例えば、特許文献１〜３参照。）。
【００１１】
【特許文献１】特開平９−１８０８２２号公報
【特許文献２】特開平１１−１９５４６６号公報
【特許文献３】特表２０００−５１３４９０号公報
【発明の開示】
【発明が解決しようとする課題】
【００１２】
前記従来の第１の基板間接続用コネクタでは、各シグナルコンタクトの接触部付近がスタブ状になるので、インピーダンスの調整が困難である。
【００１３】
前記従来の第２の基板間接続用コネクタでは、各シグナルコンタクトが弾力性によって上下両部の基板を離間しようとするので、ねじ等によって上下両部の基板をそれらの間隔が一定になるように固定する必要がある。
【００１４】
そこで、本発明は、前記両従来の技術の欠点を改良し、インピーダンスの調整が容易で、２枚の基板をそれらの間隔が一定になるように固定する必要がなく、構造が簡素で、しかも、クロストークが減少する基板間接続用コネクタを提供しようとするものである。
【課題を解決するための手段】
【００１５】
本発明は、前記課題を解決するため、次の手段を採用する。
【００１６】
１．基板と他の基板とを接続する基板間接続用コネクタにおいて、前記両基板には、それぞれ同一のプラグコネクタが実装され、レセプタクルコネクタは、前記両プラグコネクタに対して対称な構造を有し、前記レセプタクルコネクタが前記両プラグコネクタの間に介在することによって、前記両基板は接続する基板間接続用コネクタ。
【００１７】
２．基板と他の基板とを接続する基板間接続用コネクタにおいて、プラグコネクタ又はレセプタクルコネクタは、２組のコンタクト列を対称に有し、前記プラグコネクタ及び前記レセプタクルコネクタは、前記両コンタクト列の中央部にそれぞれグラウンド部材を有し、前記プラグコネクタと前記レセプタクルコネクタとが嵌合することによって、前記両コンタクト列は前記両基板を接続し、前記両グラウンド部材は接続する基板間接続用コネクタ。
【００１８】
３．前記レセプタクルコネクタは、２組のコンタクト列を対称に有し、前記両プラグコネクタ及び前記レセプタクルコネクタは、前記両コンタクト列の中央部にそれぞれグラウンド部材を有し、前記両プラグコネクタと前記レセプタクルコネクタとが嵌合することによって前記両コンタクト列は前記両基板を接続し、前記各グラウンド部材は接続する前記１記載の基板間接続用コネクタ。
【発明の効果】
【００１９】
明細書の説明から明らかなように、本発明は、次の効果を奏する。
【００２０】
１．レセプタクルコネクタを２つの同一のプラグコネクタに対して容易に着脱することができるので、レセプタクルコネクタの交換が便利であり、また、構造が簡素である。
【００２１】
２．プラグコネクタ又はレセプタクルコネクタは、２組のコンタクト列を対称に有し、プラグコネクタ及びレセプタクルコネクタは２組のコンタクト列の中央部にそれぞれグラウンド部材を有するので、クロストークが減少する。
【００２２】
３．２枚の基板の間隔を一定にするために、ねじ等の余分な固定手段を必要としない。
【００２３】
４．コンタクトが単独で基板にスムーズに接触するので、インピーダンスの調整を容易に行うことができる。
【発明を実施するための最良の形態】
【００２４】
本発明の２つの実施例の基板間接続用コネクタについて説明する。
【実施例１】
【００２５】
本発明の実施例１について図１〜図５を参照して説明する。
【００２６】
上部プラグコネクタ２の組立前後の斜視図を図１に示す。プラグ側インシュレータ７は、断面略Ｔ字型に構成される。プラグ側インシュレータ７の左右両側には、多数のシグナルコンタクトが一定のピッチで挿入される溝７ａが対称に形成される。また、プラグ側インシュレータ７のピッチ方向の中央には、プラグ側グラウンドプレート８が圧入又はモールドインされる長孔７ｂが形成される。プラグ側グラウンドプレート８を長孔７ｂに装着すると、図１の右側に示される上部プラグコネクタ２が完成する。なお、プラグ側グラウンドプレート８をグラウンドピンに設計変更することができる。
【００２７】
レセプタクルコネクタ１の組立前後の斜視図を図２に示す。レセプタクル側インシュレータ４は、直方体に構成される。レセプタクル側インシュレータ４の左右両側には、多数のシグナルコンタクト５が一定のピッチで圧入又はモールドインされる溝４ａが対称に形成される。また、レセプタクル側インシュレータ４のピッチ方向の中央には、２枚一対の湾曲したレセプタクル側グラウンドプレート６，６が圧入又はモールドインされる長孔４ｂが形成される。長孔４ｂは、貫通せずに、その中間に仕切部４ｃ（図５参照）が設けられる。各シグナルコンタクト５は、略八字型の中央部５ａとこの両端に連結される略Ｕ字型の湾曲部５ｂとから対称に構成される。各シグナルコンタクト５を各溝４ａに装着し、各レセプタクル側グラウンドプレート６を長孔４ｂに装着して仕切部４ｃに保持させると、図２の右側に示されるレセプタクルコネクタ１が完成する。なお、レセプタクル側グラウンドプレート６をグラウンドピンに設計変更することができる。
【００２８】
下部プラグコネクタ３の構造及び組立は、上部プラグコネクタ２のそれらと同様である。
【００２９】
レセプタクルコネクタ１と上下両部プラグコネクタ２，３により２枚の基板間を接続する方法について図４，５を参照して説明する。
【００３０】
上下両部プラグコネクタ２，３の各プラグ側グラウンドプレート８，８をそれぞれ上下の各基板９，９に半田付けすることによって、上下両部プラグコネクタ２，３はそれぞれ上下の各基板９，９に実装される。
【００３１】
レセプタクルコネクタ１を上下両部プラグコネクタ２，３の一方に嵌合させ、続いて、他方をレセプタクルコネクタ１に嵌合させる。このとき、上下両部プラグコネクタ２，３の各プラグ側インシュレータ７，７に設けられている突出部７ｃ，７ｃはレセプタクルコネクタ１の長孔４ｂに挿入され、各プラグ側グラウンドプレート８，８は両レセプタクル側グラウンドプレート６，６の間に挿入されて圧接する。
【００３２】
各シグナルコンタクト５の上下両側の各湾曲部５ｂが各基板９，９の各パッド（図示せず）に弾力的に接触するので、両基板９，９は接続する。
【００３３】
各シグナルコンタクト５は単独で両基板９，９を導通し、しかも、各シグナルコンタクト５は半田付けされないので、インピーダンス調整を容易に行うことができる。また、各プラグ側グラウンドプレート８，８と各レセプタクル側グラウンドプレート６，６は左右両側の各シグナルコンタクト５の間に生じるクロストークを減少させるので、高周波帯域の伝送が改善される。更に、レセプタクルコネクタ１は各基板９，９に直接固定されていないため、レセプタクルコネクタ１を上下両部プラグコネクタ２，３から容易に取り外すことができる。したがって、レセプタクルコネクタ１を交換するとき、便利である。
【実施例２】
【００３４】
本発明の実施例２について図６〜図９を参照して説明する。
【００３５】
プラグコネクタ１２の組立前後の斜視図を図６に示す。プラグ側インシュレータ１５は、断面略Ｔ字型に構成される。プラグ側インシュレータ１５の左右両側には、多数のシグナルコンタクト１６が一定のピッチで圧入又はモールドインされる溝１５ａが対称に形成される。また、プラグ側インシュレータ１５のピッチ方向の中央には、プラグ側グラウンドプレート１７が圧入又はモールドインされる長孔１５ｂが形成される。各シグナルコンタクト１６は、略５字型に構成される。各シグナルコンタクト１６を各溝１５ａに装着し、プラグ側グラウンドプレート１７を長孔１５ｂに装着すると、図６の右側に示されるプラグコネクタ１２が完成する。なお、プラグ側グラウンドプレート１７をグラウンドピンに設計変更することができる。
【００３６】
レセプタクルコネクタ１１の組立前後の斜視図を図７に示す。レセプタクル側インシュレータ１３は、断面略逆Ｔ字型に構成される。レセプタクル側インシュレータ１３の左右両側には、多数のシグナルコンタクト１６が一定のピッチで圧入又はモールドインされる溝１３ａが対称に形成される。また、レセプタクル側インシュレータ１３のピッチ方向の中央には、２枚一対の湾曲したレセプタクル側グラウンドプレート１４，１４が圧入又はモールドインされる長孔１３ｂが形成される。各レセプタクル側グラウンドプレート１４，１４を長孔１３ｂに装着すると、図７の右側に示されるレセプタクルコネクタ１１が完成する。なお、レセプタクル側グラウンドプレート１４，１４をグラウンドピンに設計変更することができる。
【００３７】
レセプタクルコネクタ１１とプラグコネクタ１２により２枚の基板間を接続する方法について図８，９を参照して説明する。
【００３８】
プラグコネクタ１２の各シグナルコンタクト１６の基部１６ａとプラグ側グラウンドプレート１７を上部の基板１８に半田付けし、レセプタクルコネクタ１１の各レセプタクル側グラウンドプレート１４，１４を下部の基板１８に半田付けすることによって、プラグコネクタ１２とレセプタクルコネクタ１１はそれぞれ上下の各基板１８，１８に実装される。
【００３９】
プラグコネクタ１２をレセプタクルコネクタ１１に嵌合させる。このとき、プラグコネクタ１２のプラグ側インシュレータ１５に設けられている突出部１５ｃはレセプタクルコネクタ１１の長孔１３ｂに挿入され、プラグ側グラウンドプレート１７は両レセプタクル側グラウンドプレート１４，１４の間に挿入されて圧接する。
【００４０】
各シグナルコンタクト１６の先端の湾曲部１６ｂが下部の基板１８の各パッド（図示せず）に弾力的に接触するので、上下両部の基板１８，１８は接続する。
【００４１】
各シグナルコンタクト１６は単独で両基板１８，１８を導通するので、インピーダンス調整を容易に行うことができる。また、各プラグ側グラウンドプレート１７と各レセプタクル側グラウンドプレート１４，１４は左右両側の各シグナルコンタクト１６の間に生じるクロストークを減少させるので、高周波帯域の伝送が改善される。
【図面の簡単な説明】
【００４２】
【図１】本発明の実施例１の基板間接続用コネクタにおける上部プラグコネクタの斜視図である。
【図２】同基板間接続用コネクタにおけるレセプタクルコネクタの斜視図である。
【図３】同基板間接続用コネクタにおける下部プラグコネクタの斜視図である。
【図４】同基板間接続用コネクタによって２枚の基板が接続された状態の斜視図である。ただし、上部の基板は、破断されて示される。
【図５】同基板間接続用コネクタによって２枚の基板が接続された状態の断面図である。
【図６】本発明の実施例２の基板間接続用コネクタにおけるプラグコネクタの斜視図である。
【図７】同基板間接続用コネクタにおけるレセプタクルコネクタの斜視図である。
【図８】同基板間接続用コネクタによって２枚の基板が接続された状態の斜視図である。ただし、上部の基板は、破断されて示される。
【図９】同基板間接続用コネクタによって２枚の基板が接続された状態の断面図である。
【図１０】従来の第１の基板間接続用コネクタによって２枚の基板が接続された状態の断面図である。
【図１１】従来の第２の基板間接続用コネクタによって２枚の基板が接続された状態の断面図である。
【符号の説明】
【００４３】
１  レセプタクルコネクタ
２  上部プラグコネクタ
３  下部プラグコネクタ
４  レセプタクル側インシュレータ
４ａ  溝
４ｂ  長孔
４ｃ  仕切部
５  シグナルコンタクト
５ａ  中央部
５ｂ  湾曲部
６  レセプタクル側グラウンドプレート
７  プラグ側インシュレータ
７ａ  溝
７ｂ  長孔
７ｃ  突出部
８  プラグ側グラウンドプレート
９  基板
１１  レセプタクルコネクタ
１２  プラグコネクタ
１３  レセプタクル側インシュレータ
１３ａ  溝
１３ｂ  長孔
１４    レセプタクル側グラウンドプレート
１５  プラグ側インシュレータ
１５ａ  溝
１５ｂ  長孔
１５ｃ  突出部
１６  シグナルコンタクト
１６ａ  基部
１６ｂ  湾曲部
１７  プラグ側グラウンドプレート
１８  基板
【図１】
2005228482.tif 000003
【図２】
2005228482.tif 000004
【図３】
2005228482.tif 000005
【図４】
2005228482.tif 000006
【図５】
2005228482.tif 000007
【図６】
2005228482.tif 000008
【図７】
2005228482.tif 000009
【図８】
2005228482.tif 000010
【図９】
2005228482.tif 000011
【図１０】
2005228482.tif 000012
【図１１】
2005228482.tif 000013